【手続補正書】
【提出日】平成30年1月19日(2018.1.19)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
基地局において、前記基地局の性能または状態に関係するトリガイベントを検出するステップと、
前記基地局によって、前記基地局の前記性能または状態の問題に関係する前記検出された前記トリガイベントについて管理者ユーザに通知するための適切な情報を含む通知を、前記基地局を維持するように指定された管理者ユーザに属するユーザ機器(UE)に送るステップとを含み、
前記通知が、前記基地局の前記性能または状態の問題を対処するために、前記管理者ユーザに対して提案された是正措置をさらに示し、
前記通知は、前記基地局の前記性能または状態の問題に対処するために利用可能な1つまたは複数の介入の選択肢のうちの前記提案された是正措置を前記管理者ユーザが選択できるようにする相互作用的な介入プロセスの間に、前記UEに送られる、方法。
【請求項２】
前記トリガイベントは、前記基地局が、一定期間内に限定加入者グループ(CSG)内に存在しない外部のUEから大量の登録/関連付け要求を受け取ることに関係する、請求項1に記載の方法。
【請求項３】
前記トリガイベントが、物理的に前記基地局が隣接基地局の近くにあるとの検出に関係する、請求項1に記載の方法。
【請求項４】
前記トリガイベントが、前記基地局における不十分なハードウェア資源の検出に関係する、請求項1に記載の方法。
【請求項５】
前記トリガイベントが、前記基地局の不十分なバックホール能力の検出に関係する、請求項1に記載の方法。
【請求項６】
前記トリガイベントは、前記基地局が少なくとも1つのUEに起因する過剰な上りリンクの干渉を検出することに関係する、請求項1に記載の方法。
【請求項７】
前記トリガイベントが、前記基地局におけるハードウェア故障、バックホール切断、またはそれらの組み合わせのうちの1つまたは複数の検出に関係する、請求項1に記載の方法。
【請求項８】
前記トリガイベントは、
以前に検出された故障イベントが、前記是正措置の実行を一定の回数試みた後にも継続していることに応答して、前記管理者ユーザが前記基地局の前記以前の故障イベントのために開始した是正措置が無効であるとみなされることに関係する、請求項1に記載の方法。
【請求項９】
前記基地局によって、前記基地局を維持するように指定された前記管理者ユーザに属する前記UEに、前記トリガイベントに対処するための少なくとも1つの提案を送るステップをさらに含む、請求項1に記載の方法。
【請求項１０】
前記管理者ユーザが前記基地局の前記性能または状態の問題に対処するための前記提案された是正措置を実行したことの表示を、前記管理者ユーザに属する前記UEから受け取るステップと、
前記基地局において、前記提案された是正措置の有効性をチェックするステップと
をさらに含む、請求項1に記載の方法。
【請求項１１】
前記通知に対する応答を前記管理者ユーザに属する前記UEから受け取るステップと、
前記通知に対する前記応答に基づいて、前記提案された是正処置を行うステップとをさらに含む、請求項1に記載の方法。
【請求項１２】
前記基地局が、限定加入者グループ(CSG)内のUEのグループの通信をサポートするスモールセルを含む、請求項1に記載の方法。
【請求項１３】
前記基地局を維持するように指定された前記管理者ユーザに属する前記UEについてのEメールアドレスを前記基地局において受け取るステップをさらに含み、
前記検出されたトリガイベントについて前記管理者ユーザに通知するための前記通知が、前記UEについての前記Eメールアドレスに送られる、請求項1に記載の方法。
【請求項１４】
前記基地局を維持するように指定された前記管理者ユーザに属する前記UEについての電話番号を前記基地局において受け取るステップをさらに含み、
前記検出されたトリガイベントについて前記管理者ユーザに通知するための前記通知が、前記UEについての前記電話番号に送られるテキストメッセージである、請求項1に記載の方法。
【請求項１５】
前記性能または前記状態の問題に対処するための前記提案された是正措置が、
異なる位置に前記基地局を移動させること、
前記基地局のハードウェアをアップグレードすること、
前記基地局に利用可能なネットワーク資源をアップグレードすること、
前記基地局の負荷の少なくとも一部を処理するための1つまたは複数の追加の基地局を設置すること、または、
技術者に連絡し、前記基地局における現場メンテナンスを行うこと
についての提案のうちの1つまたは複数を含む、請求項1に記載の方法。
【請求項１６】
前記基地局において前記提案された是正措置を自発的に実行するステップをさらに含む、請求項1に記載の方法。
【請求項１７】
前記基地局における1つまたは複数の可能性のあるエラー状態に関する情報を含むソフトウェア更新を前記基地局においてダウンロードするステップと、
前記ダウンロードされたソフトウェア更新に含まれる情報に基づいて前記トリガイベントまたは前記通知のうちの1つまたは複数を、前記基地局において構成するステップとをさらに含む、請求項1に記載の方法。
【請求項１８】
前記管理者ユーザに属する前記UEに送られるべき通知メッセージに対して前記管理者ユーザが定めた1つまたは複数の好みを前記基地局において決定するステップをさらに含み、前記通知が、前記1つまたは複数の好みに従って構成される、請求項1に記載の方法。
【請求項１９】
ワイヤレス通信のための装置であって、
基地局において、前記基地局の性能または状態の問題に関係するトリガイベントを検出するように構成された少なくとも1つのプロセッサと、
前記基地局を維持するように指定された管理者ユーザに属するユーザ機器(UE)に、前記基地局によって通知を送るように構成された送信機であって、前記通知が、前記基地局の前記性能または状態の問題に関係する前記検出されたトリガイベントについて前記管理者ユーザに通知するための適切な情報を含む、送信機とを含み、
前記通知が、前記基地局の前記性能または状態の問題を対処するために、前記管理者ユーザに対して提案された是正措置をさらに示し、
前記通知は、前記基地局の前記性能または状態の問題に対処するために利用可能な1つまたは複数の介入の選択肢のうちの前記提案された是正措置を前記管理者ユーザが選択できるようにする相互作用的な介入プロセスの間に、前記UEに送られる、装置。
【請求項２０】
前記トリガイベントが、
前記基地局の限定加入者グループ(CSG)に存在しない外部UEからの大量の登録/関連付け要求を前記基地局において受け取ること、
前記基地局が物理的に隣接基地局の近くにあることの検出、
前記基地局における不十分なハードウェア資源の検出、
前記基地局の不十分なバックホール能力の検出、
少なくとも1つのUEに起因する過剰な上りリンクの干渉の検出、
前記基地局のハードウェア故障の検出、
前記基地局のバックホール切断の検出、
前記管理者ユーザが前記基地局で以前に検出された障害イベントに対して開始した是正措置が無効であるとみなされたこと、または
それらの組合せのうちの1つまたは複数に関する、請求項19に記載の装置。
【請求項２１】
前記送信機が、前記基地局を維持するように指定された前記管理者ユーザに属する前記UEに、前記トリガイベントに対処するための少なくとも１つの提案を送るようにさらに構成される、請求項19に記載の装置。
【請求項２２】
前記通知に対する応答を前記管理者ユーザに属する前記UEから受け取るように構成された受信機をさらに含み、
前記少なくとも1つのプロセッサが、前記通知に対する前記応答に基づいて、前記提案された是正処置を行うようにさらに構成される、請求項19に記載の装置。
【請求項２３】
ワイヤレス通信のための装置であって、
基地局において、前記基地局の性能または状態の問題に関係するトリガイベントを検出するための手段と、
前記基地局によって、前記基地局の前記性能または状態の問題に関係する前記検出されたトリガイベントについて管理者ユーザに通知するための適切な情報を含む通知を、前記基地局を維持するように指定された管理者ユーザに属するユーザ機器(UE)に送るための手段とを含み、
前記通知が、前記基地局の前記性能または状態の問題を対処するために、前記管理者ユーザに対して提案された是正措置をさらに示し、
前記通知は、前記基地局の前記性能または状態の問題に対処するために利用可能な1つまたは複数の介入の選択肢のうちの前記提案された是正措置を前記管理者ユーザが選択できるようにする相互作用的な介入プロセスの間に、前記UEに送られる、装置。
【請求項２４】
前記トリガイベントが、
前記基地局の限定加入者グループ(CSG)に存在しない外部UEからの大量の登録/関連付け要求を前記基地局において受け取ること、
前記基地局が物理的に隣接基地局の近くにあることの検出、
前記基地局における不十分なハードウェア資源の検出、
前記基地局の不十分なバックホール能力の検出、
少なくとも1つのUEに起因する過剰な上りリンクの干渉の検出、
前記基地局のハードウェア故障の検出、
前記基地局のバックホール切断の検出、
前記管理者ユーザが前記基地局で以前に検出された障害イベントに対して開始した是正措置が無効であるとみなされたこと、または
それらの組合せのうちの1つまたは複数に関する、請求項23に記載の装置。
【請求項２５】
前記基地局を維持するように指定された前記管理者ユーザに属する前記UEに、前記トリガイベントに対処するための少なくとも1つの提案を送るための手段とさらに含む、請求項23に記載の装置。
【請求項２６】
前記管理者ユーザに属する前記UEから前記通知に対する応答を受け取るための手段と、
前記通知に対する応答に基づき前記提案された是正措置を行うための手段と
をさらに含む、請求項23に記載の装置。
【請求項２７】
コードを含むコンピュータ可読記録媒体であって、前記コードが、少なくとも1つのプロセッサに、
基地局において、前記基地局の性能または状態の問題に関係するトリガイベントを検出することと、
前記基地局によって、前記基地局の前記性能または状態の問題に関係する前記検出されたトリガイベントについて管理者ユーザに通知するための適切な情報を含む通知を、前記基地局を維持するように指定された管理者ユーザに属するユーザ機器(UE)に送ることとを行わせるものであり、
前記通知が、前記基地局の前記性能または状態の問題を対処するために、前記管理者ユーザに対して提案された是正措置をさらに示し、
前記通知は、前記基地局の前記性能または状態の問題に対処するために利用可能な1つまたは複数の介入の選択肢のうちの前記提案された是正措置を前記管理者ユーザが選択できるようにする相互作用的な介入プロセスの間に、前記UEに送られる、コンピュータ可読記録媒体。
【請求項２８】
ワイヤレス通信のための方法であって、
基地局を維持するように指定された管理者ユーザに属するユーザ機器(UE)において、前記基地局で検出されたトリガイベントについて前記管理者ユーザに通知するための適切な情報を有する通知を受け取るステップであって、前記トリガイベントが、前記基地局の性能または状態の問題に関係する、ステップと、
前記UEで受け取られた前記通知を前記管理者ユーザに警告するステップとを含み、
前記通知が、前記基地局の前記性能または状態の問題を対処するために、前記管理者ユーザに対して提案された是正措置をさらに示し、
前記通知は、前記基地局の前記性能または状態の問題に対処するために利用可能な1つまたは複数の介入の選択肢のうちの前記提案された是正措置を前記管理者ユーザが選択できるようにする相互作用的な介入プロセスの間に、前記UEで受け取られる、方法。
【請求項２９】
前記UEで受け取られた前記通知を前記管理者ユーザに警告するステップが、
前記UEで受け取られた前記通知を前記管理者ユーザに警告するために、前記UEのディスプレイ上で前記通知を表示すること、音を鳴動すること、振動すること、またはそれらの組み合わせのうちの1つまたは複数を行うことを含む、請求項28に記載の方法。
【請求項３０】
前記UEによって、前記トリガイベントに対処するための少なくとも1つの提案を受け取るステップと、
前記UEにおいて、前記少なくとも1つの提案を表示するステップと
をさらに含む、請求項28に記載の方法。
【請求項３１】
前記トリガイベントに対処するための前記少なくとも1つの提案が、
異なる位置に前記基地局を移動させること、
前記基地局のハードウェアをアップグレードすること、
前記基地局に利用可能なネットワーク資源をアップグレードすること、
前記基地局の負荷の少なくとも一部を処理するための1つまたは複数の追加の基地局を設置すること、または、
技術者に連絡し、前記基地局における現場メンテナンスを行うこと
についての提案のうちの1つまたは複数を含む、請求項1に記載の方法。
【請求項３２】
前記UEにおいて、前記通知に対する応答を受け取るステップと、
前記UEからの応答を前記基地局に送るステップとをさらに含み、
前記基地局へ送られる前記応答は、前記管理者ユーザが、前記基地局の前記性能または状態の問題に対処するための前記提案された是正措置を開始したことを示す、請求項28に記載の方法。
【請求項３３】
前記UEが、ネットワークコントローラを介して、他の基地局から前記通知を受け取る、請求項28に記載の方法。
【請求項３４】
前記基地局で検出された前記トリガイベントについて前記管理者ユーザに通知するための前記通知が、前記UEで受け取られるEメールまたはテキストメッセージのうちの1つまたは複数を含む、請求項28に記載の方法。
【請求項３５】
ワイヤレス通信のための装置であって、
基地局を維持するように指定された管理者ユーザに属するユーザ機器(UE)において、前記基地局で検出されたトリガイベントについて前記管理者ユーザに通知するための適切な情報を有する通知を受け取るための手段であって、前記トリガイベントが、前記基地局の性能または状態の問題に関係する、手段と、
前記UEで受け取られた前記通知を前記管理者ユーザに警告するための手段とを含み、
前記通知が、前記基地局の前記性能または状態の問題を対処するために、前記管理者ユーザに対して提案された是正措置をさらに示し、
前記通知は、前記基地局の前記性能または状態の問題に対処するために利用可能な1つまたは複数の介入の選択肢のうちの前記提案された是正措置を前記管理者ユーザが選択できるようにする相互作用的な介入プロセスの間に、前記UEで受け取られる、装置。
【請求項３６】
受け取るための前記手段が、ネットワークコントローラを介して他の基地局から前記通知を受け取る、請求項35に記載の装置。
【請求項３７】
コードを含むコンピュータ可読記録媒体であって、前記コードは、少なくとも1つのプロセッサに、
基地局を維持するように指定された管理者ユーザに属するユーザ機器(UE)において、前記基地局で検出されたトリガイベントについて前記管理者ユーザに通知するための適切な情報を有する通知を受け取ることであって、前記トリガイベントが、前記基地局の性能または状態の問題に関係する、ことと、
前記UEで受け取られた前記通知を前記管理者ユーザに警告することと
を実行させるためのものであり、
前記通知が、前記基地局の前記性能または状態の問題を対処するために、前記管理者ユーザに対して提案された是正措置をさらに示し、
前記通知は、前記基地局の前記性能または状態の問題に対処するために利用可能な1つまたは複数の介入の選択肢のうちの前記提案された是正措置を前記管理者ユーザが選択できるようにする相互作用的な介入プロセスの間に、前記UEで受け取られる、コンピュータ可読記録媒体。
【請求項３８】
前記通知が、ネットワークコントローラを介して他の基地局から前記通知を受け取られる、請求項37に記載のコンピュータ可読記録媒体。
【請求項３９】
ワイヤレス通信のための装置であって、
少なくとも1つのプロセッサを含み、前記少なくとも1つのプロセッサが、
基地局を維持するように指定された管理者ユーザに属するユーザ機器(UE)において、前記基地局で検出されたトリガイベントについて前記管理者ユーザに通知するための適切な情報を有する通知を受け取ることであって、前記トリガイベントが、前記基地局の性能または状態の問題に関係する、ことと、
前記UEで受け取られた前記通知を前記管理者ユーザに警告することと
を実行するように構成され、
前記通知が、前記基地局の前記性能または状態の問題を対処するために、前記管理者ユーザに対して提案された是正措置をさらに示し、
前記通知は、前記基地局の前記性能または状態の問題に対処するために利用可能な1つまたは複数の介入の選択肢のうちの前記提案された是正措置を前記管理者ユーザが選択できるようにする相互作用的な介入プロセスの間に、前記UEで受け取られる、装置。
【請求項４０】
前記少なくとも1つのプロセッサが、
前記UEで受け取られた前記通知を前記管理者ユーザに警告するために、前記UEのディスプレイ上で前記通知を表示すること、音を鳴動すること、振動すること、またはそれらの組み合わせのうちの1つまたは複数を行うように構成される、請求項39に記載の装置。
【請求項４１】
前記少なくとも1つのプロセッサが、
前記トリガイベントに対処するための少なくとも1つの提案を受け取ることと、
前記UEにおいて、前記少なくとも1つの提案を表示することと
を行うように構成される、請求項39に記載の装置。
【請求項４２】
前記少なくとも1つのプロセッサが、
前記UEにおいて前記通知に対する応答を受け取ることと、
前記UEからの応答を前記基地局に送ることと
を行うように構成され、
前記基地局へ送られる前記応答は、前記管理者ユーザが、前記基地局の前記性能または状態の問題に対処するための前記提案された是正措置を開始したことを示す、請求項39に記載の装置。
【請求項４３】
前記少なくとも1つのプロセッサが、ネットワークコントローラを介して他の基地局から前記通知を受け取るように構成される、請求項39に記載の装置。